(57)【要約】【課題】  中通し竿に円滑に糸通し可能な、振出式中通し釣竿と糸通し具と糸通し具保持部材との釣具セットを提供する。【解決手段】  釣具セット１０は、振出式中通し釣竿１２と竿管保護カバー１４と糸通し具１６とを備えている。そして、振出式中通し釣竿１２は、第３の中竿管３０内に穂先竿管２４及び第１および第２の中竿管２６，２８が収納され、大径竿管２２に釣糸導入孔２２ｃが設けられ、釣糸１８を竿管の内部に導入する釣糸導入ガイド４４を有する。糸通し具１６は、前記釣糸導入ガイド４４から挿入され、前記振出式中通し釣竿１２の先端に送り込む。竿管保護カバー１４は、前記第３の中竿管３０と大径竿管２２とを前記第３の中竿管３０の後端が前記釣糸導入ガイド４４よりも前方の位置で互いに固定可能であるとともに、前記糸通し具１６を前記振出式中通し釣竿１２の先側に送り込んだときに、前記糸通し具１６の先端部を保持可能である。【選択図】    図１
2007228831.tif 000002
【特許請求の範囲】
【請求項１】
釣糸を竿内に導入する釣糸導入孔を有する元竿内に、元前竿、中竿、および穂先竿が順次内側に向かって収納可能な振出式中通し釣竿と、
前記釣糸導入孔を介して挿入され、釣糸を前記穂先竿の先側に送り込むための細長い糸通し具と、
前記元前竿と前記元竿とを前記元前竿の後端が前記元竿の前記釣糸導入孔よりも前方の位置で互いに固定可能であるとともに、前記糸通し具を前記釣竿の先側に送り込んだときに、前記糸通し具の先端部を保持可能な糸通し具保持部材と
を具備することを特徴とする振出式中通し釣竿と糸通し具と糸通し具保持部材との釣具セット。
【請求項２】
前記糸通し具は、前記釣糸を掛ける糸掛け部を元側端部に備え、前記糸通し具保持部材と係脱可能に連結する被保持部を先端部に備え、前記糸通し具の元側端部と前記糸通し具の先端部との間は、線状の棒部材および／またはバネ部材によって形成されていることを特徴とする請求項１に記載の釣具セット。
【請求項３】
前記糸通し具の先端部は先細状の軸部材で形成され、
前記糸通し具保持部材はパイプ状であり、
前記軸部材の先端部の少なくとも先端が前記糸通し具保持部材の中に入り込むことを特徴とする請求項１もしくは請求項２に記載の釣具セット。
【請求項４】
前記糸通し具保持部材は、前記元竿、元前竿、中竿、および穂先竿の先側を被覆するカバー部材に一体的に装着されていることを特徴とする請求項１ないし請求項３のいずれか１に記載の釣具セット。
【請求項５】
前記カバー部材を前記元前竿に固定したときに、前記糸通し具保持部材は、前記元前竿の先端から、前記元前竿に収納される前記穂先竿の先端までの長さに略一致する長さに形成されていることを特徴とする請求項３もしくは請求項４に記載の釣具セット。
【請求項６】
前記糸通し具保持部材のパイプ開口端内壁には、少なくとも柔軟性部材が装着されていることを特徴とする請求項１ないし請求項５のいずれか１に記載の釣具セット。
【請求項７】
前記糸通し具の先端部及び糸通し具保持部材は、磁性体同士又は金属と磁性体で形成されていることを特徴とする請求項１もしくは請求項２に記載の釣具セット。
【請求項８】
前記元前竿の後端には、ガイドリングを備えた尻栓が装着され、
前記ガイドリングより後方の尻栓内面は、略すり鉢状に後方側に向かって拡径されていることを特徴とする請求項１ないし請求項７のいずれか１に記載の釣具セット。
【発明の詳細な説明】
【技術分野】
【０００１】
本発明は、振出式中通し釣竿と糸通し具と糸通し具保持部材との釣具セットに関する。
【背景技術】
【０００２】
特許文献１には、中通し竿の糸通し法として、珠形に孔を開けて糸で連ねて後端に切り込みを設け、この切り込みに糸を係止して穂先を下にすると、糸が挿通される技術が開示されている。
【特許文献１】実開昭５４−５４６９３号公報
【発明の開示】
【発明が解決しようとする課題】
【０００３】
珠形を元側から挿入しても、穂先の先端からその珠形を出すためには複数の継本数の釣竿の場合、全てを繋いだ状態で竿先を下に向けるのは容易ではない。また、継竿の場合、継部には段差があるので、珠形を穂先からスムーズに出し難い場合がある。
【０００４】
本発明は、このような課題を解決するためになされたものであり、その目的とするところは、中通し竿に円滑に糸通し可能な、振出式中通し釣竿と糸通し具と糸通し具保持部材との釣具セットを提供することにある。
【課題を解決するための手段】
【０００５】
上記課題を解決するために、この発明に係る釣具セットは、振出式中通し釣竿と糸通し具と糸通し具保持部材とを備えている。そして、振出式中通し釣竿は、元前竿内に穂先及び中竿が収納され、元竿に釣糸導入孔が設けられ、釣糸を竿管内部に導入する釣糸導入部を有する。糸通し具は、前記釣糸導入部から挿入され、前記釣竿の先端に送り込む。糸通し具保持部材は、前記元前竿と元竿とを前記元前竿の後端が前記釣糸導入部よりも前方の位置で互いに固定可能であるとともに、前記糸通し具を前記釣竿の先側に送り込んだときに、前記糸通し具の先端部を保持可能である。
【発明の効果】
【０００６】
この発明によれば、中通し竿に円滑に糸通し可能な、振出式中通し釣竿と糸通し具と糸通し具保持部材との釣具セットを提供することができる。
【発明を実施するための最良の形態】
【０００７】
以下、図面を参照しながらこの発明を実施するための最良の形態について図１ないし図６を用いて説明する。
【０００８】
図１に示すように、本実施の形態に係る釣具セット１０は、振出式中通し釣竿１２（図２参照）と、竿管保護カバー（糸通し具保持部材）１４（図４参照）と、糸通し具１６（図５参照）とが組み合わせて使用される。
【０００９】
図２に示すように、中通し釣竿１２は、竿尻側に元竿管である大径竿管２２を有し、穂先側に穂先竿管２４を有し、この穂先竿管２４から竿尻側に順に第１の中竿管（穂持竿管）２６、第２の中竿管２８、第３の中竿管（元前竿管）３０が継合わせて形成されている。すなわち、穂先竿管２４および各中竿管２６，２８，３０は、それぞれ元側の外径が先側の外径よりも大きく形成されている。このため、これらの穂先竿管２４及び各中竿管２６，２８，３０は、基端外周面と先端内周面との各継合部Ｐ１〜Ｐ４で継合される振り出し構造であって、大径竿管２２に収納される。なお、各竿管２４，２６，２８，３０は、例えば、強化繊維に合成樹脂を含浸させた繊維強化プリプレグ（ＦＲＰ）を芯金に巻回した後、硬化、脱芯等の通常の工程を経て形成される。
【００１０】
大径竿管２２の竿尻側には握り部２２ａと尻栓２２ｂとが設けられている。大径竿管２２には、さらに、第３の中竿管３０の先側を突出させた状態で内部に配設することが可能な空間を有する。第３の中竿管３０には、第２の中竿管２８の先端を第３の中竿管３０の先側に一致させた状態で内部に配設することが可能な空間を有する。第２の中竿管２８には、第１の中竿管２６の先端を第２の中竿管２８の先側に一致させた状態で内部に配設することが可能な空間を有する。第１の中竿管２６には、穂先竿管２４を第１の中竿管２６の先側よりも引き込んだ状態で配設することが可能な空間を有する。
【００１１】
穂先竿管２４および各中竿管２６，２８，３０の長さは適宜に設定されている。ただし、図１に示すように、穂先竿管２４は、各中竿管２６，２８，３０よりも短く形成されている。そして、各竿管２４，２６，２８，３０を大径竿管２２に収納したとき、各中竿管２６，２８，３０の先端が一致することが可能であり、各竿管２４，２６，２８を第３の中竿管３０に収納したとき、各中竿管２６，２８の先端が一致することが可能であるように形成されている。
【００１２】
なお、大径竿管２２と穂先竿管２４との間の中竿管の継数については上述の３本に限定されることはない。また、例えば第２の中竿管２８、第３の中竿管３０を省略して、第１の中竿管２６を大径竿管２２に継合させてもよい。また、大径竿管２２に形成される握り部２２ａ等の形態も図示のものに限定されることはない。
【００１３】
穂先竿管２４の先端には、トップガイド３２が着脱自在に配設されている。図１に示すように、このトップガイド３２は、釣糸１８を案内するガイドリング３２ａと、穂先竿管２４の先端に固定する固定管３２ｂとを備えている。このようにトップガイド３２を穂先竿管２４に装着することで、糸や糸通し具１６の抵抗の低減が図れる。なお、このようなトップガイド３２の最大径は、第１の中竿管２６の先側の内部に収納可能なように、第１の中竿管２６の穂先側の内径よりも小さく形成されている。
【００１４】
穂先竿管２４及び各中竿管２６，２８，３０の内周面からは、釣糸１８や糸通し具１６と、穂先竿管２４及び各中竿管２６，２８，３０との接触面積を小さくするための突状体３４が突出されている。突状体３４は、螺旋状若しくはリング状に周方向に沿って延設されている。突状体３４は、耐摩耗性材料により形成することが好ましく、使用可能な耐摩耗性材料としては、例えば、セラミックス繊維、カーボン繊維、ガラス繊維等を用いた繊維強化樹脂、強化繊維にＰＥＴ、アラミド、ＰＴＦＥ、ＰＥ等の有機繊維を用いたもの、或いは、合成樹脂フィルム、糸条、セラミックス材料（リング状）等が挙げられる。突状体３４は、釣糸１８や糸通し具１６が突状体３４の頂部と点接触して接触面積を小さくすることのできる各種形状にすることが可能である。この突状体３４は同じ竿管内で連続した突状として形成することが好ましいが、釣糸１８や糸通し具１６の接触抵抗を低減できるものであれば、必ずしも連続することは要せず、複数本を配置してもよい。
【００１５】
大径竿管２２には、各種のリール（図示せず）を固定するリールシート４２が設けられている。このリールシート４２の穂先側には、リールから延びる釣糸を側面から竿管内部に導入する釣糸導入部である釣糸導入ガイド４４が取り付けられている。
【００１６】
釣糸導入ガイド４４は、大径竿管２２と第３の中竿管３０との継合部Ｐ４の後側（尻栓２２ｂ側）に近接させて設けられている。第３の中竿管３０を大径竿管２２から振り出し継合させた際、第３の中竿管３０の基端側に設けられた栓体４８（図１および図３参照）がこの釣糸導入ガイド４４に近接して配置される。これにより、釣糸１８や糸通し具１６の通し作業が行い易くなる。  
釣糸導入ガイド４４は、例えばセラミックスなどにより形成されたガイドリング４４ａを有する枠体４４ｂ及び大径竿管２２の側面に形成された釣糸導入孔（長孔）２２ｃに配設されたガイド４４ｃを介して釣糸１８を案内する。この釣糸導入孔２２ｃは、図６（Ａ）に示すように大径竿管２２に対して第３の中竿管３０を引き込んだときには閉塞される（図示せず）。
【００１７】
図２に示すように、第３の中竿管３０を大径竿管２２から振り出し継合させた際、図１に示すように、第３の中竿管３０の基端側に設けられた栓体４８がこの釣糸導入ガイド４４に近接して配置されている。この栓体４８は、例えばＡＢＳやポリアセタール等の硬質の樹脂材により形成されている。
【００１８】
図３に示すように、この栓体４８の外周面と大径竿管２２の内周面との間には、第３の中竿管３０の基端部を受ける緩み止め用のＯリング５０が配設されている。そして、このＯリング５０の元側であって、栓体４８の外周面と大径竿管２２の内周面との間には、大径竿管２２に対する第３の中竿管３０の振り出しの容易化を図るために例えば１ｍｍ以下のような隙間（段差）Ｃが形成されている。隙間Ｃを例えば１ｍｍ以下としたのは、１ｍｍ以下であれば糸通し具１６がスムーズに通るからである。
【００１９】
この栓体４８には、釣糸導入ガイド４４から挿入された釣糸１８や糸通し具１６（図１参照）を、穂先竿管２４の後端開口孔へ案内し易いように、釣糸案内孔５２が軸中心部分に形成されている。この釣糸案内孔５２は、第１の傾斜面５２ａと、小径部５２ｂと、第２の傾斜面５２ｃと、筒状部５２ｄとを備えている。第１の傾斜面５２ａは、元側から穂先側に向けて次第に縮径する略すり鉢状に形成されている。このため、糸通し具１６が栓体４８の元側から配設されると、第１の傾斜面５２ａによって栓体４８の中心部（中心軸）側に誘導される。  
そして、この釣糸案内孔５２の最も小径の小径部５２ｂには、釣糸１８や糸通し具１６の摩擦を許容した状態でガイドするために、例えばセラミックスなどの耐磨耗性材料で形成されたリング５４が固定されている。
【００２０】
第２の傾斜面５２ｃは、リング５４が固定された小径部５２ｂの先端側に、元側から穂先側に向けて次第に拡径する略すり鉢状に形成されている。この第２の傾斜面５２ｃは、穂先竿管２４、第１の中竿管２６の基端部を受ける。この第２の傾斜面５２ｃのさらに穂先側は、内径が一定の筒状部５２ｄが形成されている。この筒状部５２ｄの外周には、第３の中竿管３０の元側の内周面に螺合によって固定可能な螺合部を配設している。さらに、第２の中竿管２８の基端部は、栓体４８の筒状部５２ｄの先端で受けられる。なお、リング５４よりも前側の内径部の径は、穂先竿管２４の基端部の外径よりも小さく形成されている。
【００２１】
穂先竿管２４、第１の中竿管２６、第２の中竿管２８にも、釣糸１８や糸通し具１６（図１参照）の摩擦を許容した状態でガイドするリング５６，５８，６０が各竿管２４，２６，２８の基端部の内周面に突出するように固定されている。これらリング５６，５８，６０は、例えばセラミックスなどの耐磨耗性材料で形成されている。
【００２２】
図６（Ａ）に示すように、竿管保護カバー１４は、中通し釣竿１２の各竿管２４，２６，２８，３０を大径竿管２２に収納した状態で持ち歩く際、元側の大径竿管２２の先端から突出する小径の穂先竿管２４および各中竿管２６，２８，３０を保護するのに適したものである。図４（Ａ）に示すように、この竿管保護カバー１４は、略円筒状のカバー部材６２と、当接部材６４と、パイプ状の糸通し具保持部材６６とを備えている。
【００２３】
カバー部材６２は、例えばＡＢＳ樹脂等の硬質の合成樹脂で形成されていることが好ましい。このカバー部材６２は、先側が閉塞された先側閉塞部６２ａと、基端側が開口された元側開口部６２ｂとを備えている。このカバー部材６２の内径は、大径竿管２２の先側の最大外径部を覆うように、それよりも僅かに大きく形成されている。
【００２４】
カバー部材６２の元側開口部６２ｂからは、元側に突出する延長部７２が延出されている。この延長部７２には、拡径頭部を有する突起７４が外方に突出されている。
【００２５】
また、延長部７２には、中通し釣竿１２の大径竿管２２の先端部にカバー部材６２を固定するための締付けベルト（止めバンド）７６が取り付けられている。締付けベルト７６は、大径竿管２２の損傷を防止するために、例えばゴム、エラストマー、皮革等の柔軟性部材で形成されている。この締付けベルト７６は延長部７２と共に、竿管保護カバー１４を中通し釣竿１２の大径竿管２２の先端部に固定するための固定部を形成する。この締付けベルト７６に形成された複数の係合孔７６ａを介して、この延長部７２に一体形成された突起７４に係止される。したがって、延長部７２および締付けベルト７６を介してカバー部材６２を大径竿管２２に一体的に連結することができる。
【００２６】
なお、突起７４は、頭部が拡径されているため、締付けベルト７６を確実に保持することができる。このような突起７４および締付けベルト７６の係合孔７６ａに代えて、面ファスナを用いることも可能である。
【００２７】
当接部材６４は、カバー部材６２の先端の内側に固定され、カバー部材６２を竿管２２，２４，２６，２８，３０の先側に被せたときに、例えば各中竿管２６，２８，３０の先端が当接される。このとき、当接部材６４は、竿管２２，２６，２８，３０の先端に大きな力が加えられることを防止するように、柔軟性を有する素材により形成されている。このような当接部材６４は、穂先竿管２４の損傷を防止する軟質材料であればどのようなものでもよいが、カバー部材６２に確実に保持され、容易に脱落することがないように、例えば天然ゴム、合成ゴム、ウレタンエラストマー、スチレン系エラストマー、オレフィン系エラストマー、ＥＶＡ（エチレン酢酸ビニル）等の材料が好ましい。
【００２８】
カバー部材６２の先側閉塞部６２ａおよび当接部材６４には、貫通孔６２ｃ，６４ａが形成されている。この貫通孔６２ｃ，６４ａには、糸通し具１６の先端を保持するためのパイプ状の糸通し具保持部材６６が固定されている。この保持部材６６の外径は第１の中竿管２６の内径よりも小さく形成されている。
【００２９】
保持部材６６は、当接部材６４を挿通した状態でカバー部材６２の先側閉塞部６２ａに先端が固定されている。この保持部材６６の外径は穂先竿管２４の先端のトップガイド３２の先端に当接したり、トップガイド３２の内部に入り込む径であることが好ましい。特に、この保持部材６６は、当接部材６４の基端面からその基端までの長さ（第３の中竿管３０に竿管保護カバー１４を固定したときに、保持部材６６が第３の中竿管３０の先端より入り込む長さ）Ｌが、当接部材６４の基端面から穂先竿管２４のトップガイド３２の先端までの長さ（第３の中竿管３０に対する穂先竿管２４の落ち込み長さ）Ｌに等しいことが好ましい。このため、穂先竿管２４の先端のトップガイド３２を保持部材６６の基端で支持する（穂先竿管２４を振れ止めすることができる）ので、保持部材６６の内面と穂先竿管２４の内面とがずれることなく、スムーズに糸通し具１６を保持部材６６の内部に誘導することができる。そして、この保持部材６６の基端には、糸通し具１６の後述する軸部材（被保持部）８２の先端が係脱可能である。このような状態に、保持部材６６の基端の内径が規定されている。
【００３０】
この保持部材６６は例えばステンレス鋼材などにより硬質に形成されている。この保持部材６６の内周面の全周、または、少なくとも元側（基端部）の内周面には、糸通し具１６の軸部材８２を容易に係合させ、かつ、振動を防止するゴムやエラストマーなどの柔軟性部材が装着されていることが好適である。この竿管保護カバー１４を中通し釣竿１２に装着する場合、保持部材６６は第１の中竿管２６の先側から穂先竿管２４の先端に当接したり、穂先竿管２４の先端の内部に入り込むように挿入される。
【００３１】
竿管保護カバー１４が中通し釣竿１２に固定されると、大径竿管２２の先端部に対向させて設けられる軟質材製の当接部材６４が、大径竿管２２およびこの大径竿管２２に収納された各中竿管２６，２８，３０（図１参照）の先端を保護する。
【００３２】
図５（Ａ）に示すように、糸通し具１６は、中心軸に対して対称なテーパ状の先細の先端部（被保持部）を有する軸部材８２と、この軸部材８２の基端部に配設されたコイル状のバネ部材８４と、このバネ部材８４の基端部に設けられた糸掛け部８６とを備えている。この糸通し具１６の全長は約３００ｍｍ程度である。また、この糸通し具１６の軸部材８２の最大径は、穂先竿管２４の最小径よりも小さく、例えば１．２ｍｍから１．８ｍｍ程度である。この軸部材８２は、例えばステンレス鋼材や硬質のプラスチック材などにより形成されている。そして、特に、バネ部材８４の重量よりも軸部材８２の重量が重く形成されている。なお、糸通し具１６の重量は材質、径、長さ等によって決められるため、適宜の寸法に設定される。
【００３３】
軸部材８２の先端部は、上述した竿管保護カバー１４の保持部材６６の基端に嵌合可能（係合可能）である。また、バネ部材８４は、側方から適当な力が加えられると自在に曲げられる。  
なお、糸通し具１６は、図５（Ａ）に示すものの他、図５（Ｂ）に示すように、糸掛け部８６は、自動ハリス止めのような形態であることも好適である。
【００３４】
次に、この実施の形態に係る釣具セット１０の中通し釣竿１２に釣糸１８を通す作業について説明する。  
まず、図６（Ａ）に示すように、中通し釣竿１２を持ち運び易いように、大径竿管２２に対して各竿管２４，２６，２８，３０が引き込まれているものとする。すなわち、図２に示す中通し釣竿１２の全長を最も短くした状態で釣場等まで持ち運ぶ。このとき、大径竿管２２の釣糸導入孔２２ｃ（図１参照）は第３の中竿管３０によって閉塞されている。このため、図６（Ａ）に示す状態では糸通し具１６を用いて釣糸１８を各竿管２２，２４，２６，２８，３０の内部に通すことができない。
【００３５】
各竿管２２，２４，２６，２８，３０に釣糸１８を通す場合、一旦、保護カバー１４の締付けベルト７６の係合孔７６ａの突起７４に対する係合を解除する。そして、大径竿管２２に対して各竿管２４，２６，２８，３０を引き出す。この状態で、図６（Ｂ）に示すように、再び保護カバー１４の締付けベルト７６の係合孔７６ａに突起７４を留め直す。このとき、図１に示すように、大径竿管２２の釣糸導入孔２２ｃが開口されている。
【００３６】
図１に示すように、糸通し具１６の先端の軸部材８２を釣糸導入ガイド４４から穂先竿管２４の先側に向けて挿入する。このとき、栓体４８の略すり鉢状の第１の傾斜面５２ａによって、糸通し具１６の先端は栓体４８の中心軸上の小径部５２ｂに誘導される。そして、中通し釣竿１２の竿先を元側に対して低くする。すなわち、糸通し具１６の先側の軸部材８２を元側の糸掛け部８６に比べて下側にする。すると、糸通し具１６は、その重力（遠心力）もしくは中通し釣竿１２を上下に振って落とす反動により穂先竿管２４の元側から穂先竿管２４の内部を滑って穂先竿管２４の先側に送られる。このため、糸通し具１６の軸部材８２の先端が、穂先竿管２４のトップガイド３２を超えて糸通し具保持部材６６のパイプ状の内周に嵌まり込む。
【００３７】
この状態で、カバー部材６２の締付けベルト７６の係合を解除して、カバー部材６２を中通し釣竿１２の先端から取り外す。すなわち、糸通し具保持部材６６を中通し釣竿１２の竿先から抜く。そうすると、糸通し具保持部材６６に嵌まり込んだ糸通し具１６の軸部材８２の先端が穂先竿管２４の竿先、さらには、各中竿管２６，２８，３０の竿先から抜ける。したがって、糸通し具１６の基端の糸掛け部８６に係止されている釣糸１８が中通し釣竿１２の大径竿管２２の釣糸導入孔２２ｃから穂先竿管２４の竿先まで通される。
【００３８】
この状態で、糸通し具１６の基端の釣糸１８に仕掛け等（図示せず）を装着する。または、糸通し具１６の基端の糸掛け部８６から釣糸１８の係合を解除した後、釣糸１８に仕掛け等を装着する。そして、図２に示すように、中通し釣竿１２を延伸させる。このとき、この釣糸１８は、大径竿管２２の釣糸導入孔２２ｃから穂先竿管２４の穂先まで挿通されている。そして、この穂先竿管２４から延出された釣糸１８には仕掛け等が装着されている。  
なお、中通し釣竿１２を延伸させてから仕掛け等を装着することに、何ら問題はない。
【００３９】
以上説明したように、この実施の形態によれば、以下の効果が得られる。  
中通し釣竿１２の大径竿管２２に対して第３の中竿管３０を延伸させるだけで、他の竿管２４，２６，２８を延伸させることなく、穂先竿管２４、第１および第２の中竿管２６，２８を第３の中竿管３０に収納した状態で糸通し具１６を中通し釣竿１２の大径竿管２２の釣糸導入孔２２ｃから穂先竿管２４の先端まで通すことができる。したがって、竿の長さを大径竿管２２と第３の中竿管３０とを繋いだ長さ分だけとした状態で竿先を下に向けるだけで、糸通し作業を容易に行なうことができる。すなわち、場所を選ばず、容易に糸通し操作を行なうことができる。
【００４０】
また、竿管保護カバー１４によって竿管２４，２６，２８が先方に飛び出すことを防止することができる。このため、竿管２４，２６，２８の破損を防止することができる。そうすると、中通し釣竿１２の先側を下側に向けたときに竿管２４，２６，２８の先端が剥き出しになっていないため、例えば岩等に衝突させても、その竿管保護カバー１４によって竿管２４，２６，２８を保護することができる。
【００４１】
さらに、糸通し具１６を、先細の軸部材８２、および、バネ部材８４で形成して、これの軸部材８２を糸通し具保持部材６６に容易に連結させることができる。
【００４２】
なお、この実施の形態では、カバー部材６２を用いることについて説明したが、糸通しを行なう際には、必ずしも第３の中竿管３０の全周を覆う必要はない。すなわち、糸通しの際、穂先竿管２４の先端に装着されたトップガイド３２の位置を第３の中竿管３０の先端に対して所定の距離に保持できれば好適である。このため、例えば当接部材６４が第３の中竿管３０の先端に係合や嵌合され、かつ、保持部材６６がこの当接部材６４に固定されていれば良い。
【００４３】
図７には、保護カバー１４の変形例を示す。カバー部材６２の内周面には、シート状の弾性体７８が被覆されている。この弾性体７８は、例えばゴムやエラストマー等により形成されている。このため、例えば大径竿管２２がガタツキなく嵌合される。もちろん、シート状の弾性体７８には、第３の中竿管３０がガタツキなく嵌合されることも好適である。また、保護カバー１４のカバー部材６２を弾性体として一体に形成しても良い。
【００４４】
また、図８には、糸通し具１６の変形例を示す。糸通し具１６は、線状の棒部材９２と、糸掛け部８６とを備えている。この棒部材９２の先端部（被保持部）は、先細に形成されている。この棒部材９２は、例えば超弾性合金で形成されていることが好適である。この棒部材９２の最大径は、約１ｍｍから２ｍｍ、例えば１．６ｍｍであることが好適である。さらに、この糸通し具１６の全長は４５０ｍｍ程度である。さらに、棒部材９２の重量は５ｇ以上である。なお、超弾性合金には、一般には５％から８％等、３％以上の伸び率を有する合金であって、長手軸方向に引っ張って負荷を加えた際に約３％以上の伸び率を示して形状を変化させ、その負荷を除去すると約９０％以上の復元率で回復する。超弾性合金としては、Ｎｉ−Ｔｉ系合金、Ｎｉ−Ｔｉ−Ｆｅ系合金、Ｎｉ−Ｔｉ−Ｃｕ系合金、Ｎｉ−Ｔｉ−Ｃｒ系合金などによって形成することが可能である。
【００４５】
なお、ここでは、パイプ状の糸通し具保持部材６６の基端に糸通し具１６の先端を嵌合や係合により保持可能としたが、図示しないが、パイプ状の糸通し具保持部材６６が設けられていないことも好適である。この場合、穂先竿管２４の先端部は、当接部材６４に近接する位置までの長さを有する。そして、当接部材６４には磁性体を用いることが好適である。すなわち、この当接部材６４の磁力によって、糸通し具１６の軸部材８２の先端を磁着させることができる。この場合、竿管保護カバー１４を第１ないし第３の竿管２６，２８，３０の先側から取り外すことによって、当接部材６４に糸通し具１６の先端が磁着された状態で穂先竿管２４の先端から抜き出される。さらに、糸通し具１６の先端部の軸部材８２に磁性を持たせることも好適である。  
その他、糸通し具１６の先端部の軸部材８２にのみ磁性を持たせ、当接部材６４は例えば金属材など、糸通し具１６の軸部材８２の磁力によって磁着される材料で形成されていることも好適である。
【００４６】
これまで、一実施の形態やそれに基づく変形例について図面を参照しながら具体的に説明したが、この発明は、上述した実施の形態に限定されるものではなく、その要旨を逸脱しない範囲で行なわれるすべての実施を含む。
【図面の簡単な説明】
【００４７】
【図１】本発明の実施の形態に係る振出式中通し釣竿と竿管保護カバーと糸通し具との釣具セットを示す概略的な縦断面図。
【図２】本発明の実施の形態に係る釣具セットの振出式中通し釣竿を延伸させた状態を示す概略図。
【図３】本発明の実施の形態に係る釣具セットの振出式中通し釣竿の、図１中の符号ＩＩＩで示す位置の概略的な縦断面図。
【図４】（Ａ）は本発明の実施の形態に係る釣具セットの竿管保護カバーを示す概略的な部分断面図、（Ｂ）は（Ａ）中の矢印４Ｂ方向から見た概略図。
【図５】（Ａ）および（Ｂ）は本発明の実施の形態に係る釣具セットの糸通し具を示す概略的な縦断面図。
【図６】（Ａ）は本発明の実施の形態に係る釣具セットを持ち運ぶ際の状態を示す概略図、（Ｂ）は本発明の実施の形態に係る釣具セットに釣糸を挿通させる際の状態を示す概略図。
【図７】本発明の実施の形態に係る釣具セットの竿管保護カバーの変形例を示す概略的な部分断面図。
【図８】本発明の実施の形態に係る釣具セットの糸通し具の変形例を示す概略的な縦断面図。
【符号の説明】
【００４８】
１０…釣具セット、１２…中通し釣竿、１４…竿管保護カバー、１６…糸通し具、１８…釣糸、２２…大径竿管、２２ｃ…釣糸導入孔、２４…穂先竿管、２６…第１の中竿管、２８…第２の中竿管、３０…第３の中竿管、３２…トップガイド、３２ａ…ガイドリング、３２ｂ…固定管、３４…突状体、４４…釣糸導入ガイド、４４ａ…ガイドリング、４４ｂ…枠体、４４ｃ…ガイド、４８…栓体、６２…カバー部材、６４…当接部材、６６…糸通し具保持部材、７４…突起
【図１】
2007228831.tif 000003
【図２】
2007228831.tif 000004
【図３】
2007228831.tif 000005
【図４】
2007228831.tif 000006
【図５】
2007228831.tif 000007
【図６】
2007228831.tif 000008
【図７】
2007228831.tif 000009
【図８】
2007228831.tif 000010